(57)【特許請求の範囲】
【請求項１】
テープ繰り出し端に、テープドライブ側の捕捉体（Ｈ）を掛止連結するための先導ピース（１３）が設けられており、
先導ピース（１３）は、テープ（３）の繰り出し端に設けたリーダーテープ（１２）に固定される軸体（１４）と、軸体（１４）の上下両端に設けた捕捉体（Ｈ）用の一対の掛止腕（１５・１５）とを備えており、
ケース本体（１）の前面に開口するテープ引出口（４）に臨むケース本体（１）の内面上下に、先導ピース（１３）の掛止腕（１５・１５）を所定の待機姿勢で受け止め保持する一対のピース受部（１９・１９）が設けられており、
ピース受部（１９）と協同して先導ピース（１３）を待機姿勢に保持するロック具（２０）が、テープ引出口（４）に臨んで設けられており、
ロック具（２０）は、ケース本体（１）に揺動可能に軸支されるボス（２１）と、ボス（２１）と一体に設けたロック片（２２）とを含み、
ロック片（２２）の先端に、当該軸体（１４）と係合するフック部（２５）を設けて、当該フック部（２５）によって軸体（１４）のテープ引出口（４）側の周面部分を囲んでおり、
ロック具（２０）は、ばね（２４）によって、ロック片（２２）のフック部（２５）が軸体（１４）と係合する向きに付勢されていることを特徴とする単リール型の磁気テープカートリッジ。
【請求項２】
テープ（３）の繰り出し端に、テープドライブ側の捕捉体（Ｈ）を掛止連結するための先導ピース（１３）が設けられており、
先導ピース（１３）は、テープ（３）の繰り出し端に設けたリーダーテープ（１２）に固定される軸体（１４）と、軸体（１４）の上下両端に設けた捕捉体（Ｈ）用の一対の掛止腕（１５・１５）とを備えており、
ケース本体（１）の前面に開口するテープ引出口（４）に臨むケース本体（１）の内面上下に、先導ピース（１３）の掛止腕（１５・１５）を所定の待機姿勢で受け止め保持する一対のピース受部（１９・１９）が設けられており、
回転不能にケース本体（１）に組み込まれるボス（２１）と、ボス（２１）に設けてあって先導ピース（１３）の軸体（１４）が係脱する二又状の抱持片（３０ａ・３０ａ）を先端に有するロック腕（３０）とを設けたロック具（２０）を備えており、
ロック腕（３０）の抱持片（３０ａ・３０ａ）の長さを大きく設定して、軸体（１４）の移動を許す遊動空所（Ｓ）を設けたことを特徴とする単リール型の磁気テープカートリッジ。
【請求項３】
テープ（３）の繰り出し端に、テープドライブ側の捕捉体（Ｈ）を掛止連結するための先導ピース（１３）が設けられており、
先導ピース（１３）は、テープ（３）の繰り出し端に設けたリーダーテープ（１２）に固定される軸体（１４）と、軸体（１４）の上下両端に設けた捕捉体（Ｈ）用の一対の掛止腕（１５・１５）とを備えており、
ケース本体（１）の前面に開口するテープ引出口（４）に臨むケース本体（１）の内面上下に、先導ピース（１３）の掛止腕（１５・１５）を所定の待機姿勢で受け止め保持する一対のピース受部（１９・１９）が設けられており、
回転不能にケース本体（１）に組み込まれるボス（２１）と、ボス（２１）に設けてあって先導ピース（１３）の軸体（１４）が係脱する二又状の抱持片（３０ａ・３０ａ）を先端に有するロック腕（３０）と、ボス（２１）に設けてあって軸体（１４）が抱持片（３０ａ・３０ａ）に対する軸体（１４）の係脱方向と交差する向きに係脱するフック部（３２）を先端に有するロック片（３１）とからなるロック具（２０）を備えており、
抱持片（３０ａ・３０ａ）およびロック片（３１）が弾性変形することで、軸体（１４）が抱持片（３０ａ・３０ａ）およびフック部（３２）に係脱することを特徴とする単リール型の磁気テープカートリッジ。
【請求項４】
ロック片（３１）のフック部（３２）が、軸体（１４）をケース内面側から係合保持している請求項３に記載の単リール型の磁気テープカートリッジ。
【請求項５】
テープ（３）の繰り出し端に、テープドライブ側の捕捉体（Ｈ）を掛止連結するための先導ピース（１３）が設けられており、
先導ピース（１３）は、テープ（３）の繰り出し端に設けたリーダーテープ（１２）に固定される軸体（１４）と、軸体（１４）の上下両端に設けた捕捉体（Ｈ）用の一対の掛止腕（１５・１５）とを備えており、
ケース本体（１）の前面に開口するテープ引出口（４）に臨むケース本体（１）の内面上下に、先導ピース（１３）の掛止腕（１５・１５）を所定の待機姿勢で受け止め保持する一対のピース受部（１９・１９）が設けられており、
ケース本体（１）に組み込まれるボス（２１）と、ボス（２１）に設けてあって先導ピース（１３）の軸体（１４）が係脱する二又状の抱持片（３０ａ・３０ａ）を先端に有するロック腕（３０）とを設けたロック具（２０）を備えており、
ロック具（２０）のボス（２１）が、弾性変形可能な支軸（３３）を介してケース本体（１）に固定されていることを特徴とする単リール型の磁気テープカートリッジ。
【請求項６】
ケース本体（１）に、テープ引出口（４）を開閉するドア（５）が設けられており、
ピース受部（１９）とロック具（２０）とで待機保持した先導ピース（１３）の外面を、閉じ位置にあるドア（５）で押え保持している請求項１ないし５のいずれかに記載の単リール型の磁気テープカートリッジ。
【請求項７】
ピース受部（１９）が、掛止腕（１５）の外郭線に沿って鉤形に凹み形成されている請求項１ないし６のいずれかに記載の単リール型の磁気テープカートリッジ。  
【発明の詳細な説明】
【０００１】
【発明の属する技術分野】
本発明は、テープ繰り出し端に、テープを引き出し操作するための先導ピースが設けてある単リール型の磁気テープカートリッジに関し、不使用状態における先導ピースの待機保持構造を改良したものである。
【０００２】
【従来の技術】
この種の磁気テープカートリッジ（以下、単にテープカートリッジという）は、例えば特開平１１−７７４９号公報に公知である。そこでは、先導ピースを鉤形のプラスチック成形品で形成して、不使用状態における先導ピースを、テープ引出口に設けた一対の突片で片持ち状に待機保持している。特開平１１−２３２８２６号公報においては、先導ピースを金属ピンで形成し、その上下両端に設けた係合軸部を、上下ケースの上壁および底壁に凹み形成した一対の軸受部およびばねで係合保持して、不使用時の先導ピースを待機保持している。軸受部の近傍には、ばね用の抜止壁が上壁および底壁と平行に張り出し形成してある。ばねはねじりコイル形のばねからなり、その一方のばね腕の先端に設けた部分円弧状の押圧部を、先の係合軸部に圧接している。
【０００３】
【発明が解決しようとする課題】
上記のように単リール型のテープカートリッジにおいては、テープ繰り出し端に先導ピースを設け、この先導ピースを捕捉連結することによって、テープドライブによるテープ引き出しを確実化している。その前提として、不使用時の先導ピースの待機保持姿勢が常に適正であること、落下衝撃を受ける場合にも待機保持姿勢を適正範囲内に維持できることが求められる。しかし、この種のテープカートリッジは、２リール型等の他型式のテープカートリッジに比べて重いため、落下時の運動慣力が大きく、その分だけより大きな落下衝撃を受ける不利がある。最悪の場合にはリールロック爪が瞬間的にリールから外れ、あるいはロック爪が折れてテープ弛みを生じ、そのせいで、先導ピースがずれ動いたり、ケース外へ飛び出ることがある。
【０００４】
先導ピースはテープ引出口に臨んで配置してあり、多くの場合はテープ引出口からの塵埃の侵入を防ぐために、テープ引出口を開閉可能なドアで閉止保持している。そのため、テープカートリッジの取り扱い時に誤ってテープカートリッジを取り落とし、落下衝撃によって先導ピースが所定の待機位置からずれ動き、あるいはその姿勢が不適切になっていたとしても、ドアを開いて確認しない限りは、先導ピースの保持状態の適否を知ることはできない。多くの場合は、先導ピースの保持状態が不適切であったとしても、ケース本体やドアに外観上の傷や変形がない場合には、そのまま使用に供されてしまい、その結果、テープドライブにおいて先導ピースを捕捉連結できないことがある。
【０００５】
本発明の目的は、不使用時の先導ピースの待機保持姿勢を、通常の状況下ではもちろん、落下衝撃を受けるような場合であっても、適正な状態に維持でき、従って、テープドライブによる先導ピースの捕捉やテープ引き出しを常に確実に行うことができる、信頼性に優れた単リール型のテープカートリッジを提供することにある。
【０００６】
本発明の他の目的は、先導ピースとこれを待機保持するロック具とを備えていて、先導ピースのロック具に対する係脱を軽快に行えるにもかかわらず、落下や衝突等の外部衝撃を受ける場合にも、先導ピースを適正な待機姿勢に保持し続けることができる単リール型のテープカートリッジを提供することにある。本発明の他の目的は、ばねで移動付勢されて、不使用時の先導ピースを確実にロック保持できるロック具を備えており、テープカートリッジをテープドライブに装填し始めてロック具がロック解除操作される単リール型のテープカートリッジを提供することにある。
【０００７】
【課題を解決するための手段】
本発明のテープカートリッジは、図１ないし図３に示すごとくテープ繰り出し端に、テープドライブ側の捕捉体Ｈを掛止連結するための先導ピース１３が設けられている。先導ピース１３は、テープ３の繰り出し端に設けたリーダーテープ１２に固定される軸体１４と、軸体１４の上下両端に設けた捕捉体Ｈ用の一対の掛止腕１５・１５とを備えている。ケース本体１の前面に開口するテープ引出口４に臨むケース本体１の内面上下には、先導ピース１３の掛止腕１５・１５を所定の待機姿勢で受け止め保持する一対のピース受部１９・１９が設けられている。ピース受部１９と協同して先導ピース１３を待機姿勢に保持するロック具２０が、テープ引出口４に臨んで設けられている。
【０００８】
上記のロック具２０は、ケース本体１に揺動可能に軸支されるボス２１と、ボス２１と一体に設けたロック片２２とを含む。ロック片２２の先端に、当該軸体１４と係合するフック部２５を設けて、当該フック部２５によって軸体１４のテープ引出口４側の周面部分を囲んでいる。ロック具２０は、ばね２４によって、ロック片２２のフック部２５が軸体１４と係合する向きに付勢されている。
【０００９】
ロック具２０は、図１２に示すごとく回転不能にケース本体１に組み込まれるボス２１と、ボス２１に設けてあって先導ピース１３の軸体１４が係脱する二又状の抱持片３０ａ・３０ａを先端に有するロック腕３０とを設けてあるものとすることができる。そして、ロック腕３０の抱持片３０ａ・３０ａの長さを大きく設定することで、軸体１４の移動を許す遊動空所Ｓを設けてある。
【００１０】
また、ロック具２０は、図８および図９に示すごとく回転不能にケース本体１に組み込まれるボス２１と、ボス２１に設けてあって先導ピース１３の軸体１４が係脱する二又状の抱持片３０ａ・３０ａを先端に有するロック腕３０と、ボス２１に設けてあって先導ピース１３の軸体１４が抱持片３０ａ・３０ａに対する軸体１４の係脱方向と交差する向きに係脱するフック部３２を先端に有するロック片３１とからなるものとすることができる。そして、抱持片３０ａ・３０ａおよびロック片３１が弾性変形することで、軸体１４が抱持片３０ａ・３０ａおよびフック部３２に係脱する。
【００１１】
ロック片３１のフック部３２は、軸体１４をケース内面側から係合保持することができる。
【００１２】
ケース本体１に組み込まれるボス２１と、ボス２１に設けてあって先導ピース１３の軸体１４が係脱する二又状の抱持片３０ａ・３０ａを先端に有するロック腕３０とを設けたロック具２０を備えており、ロック具２０のボス２１が、弾性変形可能な支軸３３を介してケース本体１に固定されているものとすることができる。
【００１３】
ケース本体１に、図１に示すごとくテープ引出口４を開閉するドア５が設けられており、ピース受部１９とロック具２０とで待機保持した先導ピース１３の外面を、閉じ位置にあるドア５で押え保持しているものとすることができる。
【００１４】
ピース受部１９は、図１に示すごとく掛止腕１５の外郭線に沿って鉤形に凹み形成されているものとすることができる。
【００１６】
【発明の作用効果】
テープ３をリール２で巻き戻した状態において、先導ピース１３は、その上下端がケース本体１に設けたピース受部１９で受け止められて、位置決めされている。さらに、位置決め状態を維持するロック具２０でロック保持されて、待機姿勢に位置保持されている。このように、先導ピース１３をピース受部１９とロック具２０とで協同して係合保持すると、保持姿勢にばらつきのない状態の許に先導ピース１３を確実に待機保持できる。ロック具２０は、先導ピース１３と弾性係合して先導ピース１３がピース受部１９から抜け出るのを阻止している。従って、落下衝撃を受けて先導ピース１３が動いたとしても、ロック具２０の先導ピース１３との係合部分の弾性によって衝撃を吸収し、先導ピース１３の動きに追随し復帰させることができる。従って、本発明のテープカートリッジによれば、ケース本体１や先導ピース１３が落下衝撃を受けるような場合にも、先導ピース１３を適正に待機保持して、テープドライブの捕捉体Ｈによる先導ピース１３の掛止捕捉やテープ引き出しを確実に行え、従来のこの種のテープカートリッジに比べて信頼性を向上できる。
【００１７】
図１ないし図５に示すごとく軸体１４と、その上下両端に設けた一対の掛止腕１５とでコ字枠状に形成した先導ピース１３によれば、先導ピース１３の占有空間量を小さくできるので、テープ引出口４をドア５で閉止するケース構造を採る場合にも、先導ピース１３をドア５の内側の狭い空間に支障なく配置できる。上下の掛止腕１５をケース本体１の内面上下に設けたピース受部１９で受け止め、さらに鉤形に凹み形成したピース受部１９で、上下の掛止腕１５をその外郭線に沿って密接状に受け止める位置保持構造によれば、不使用時の先導ピース１３をより安定した姿勢で確実に位置決めできる。
【００１８】
ロック片２２を備えたロック具２０を設け、これをばね２４でロック付勢することにより、先導ピース１３の軸体１４をロック片２２で係合保持するロック具構造によれば、先導ピース１３に作用する衝撃力をばね２４で緩和吸収したうえで、適正な待機位置へ復帰させることができる。この場合のロック具２０は、往復スライドする形態と、往復揺動する形態のいずれの移動形態であってもよい。
【００１９】
ロック具２０を揺動可能に軸支したうえで、そのロック片２２をケース外面側から軸体１４にロック係合する位置保持構造によれば、待機保持状態における先導ピース１３を、ロック片２２でピース受部１９の側へ押し付けて固定保持できるので、先導ピース１３をがた付きなく適切に待機保持できるうえ、外部衝撃を受けた先導ピース１３がケース外方へ飛び出ようとするのを確実に防止できる。テープカートリッジをテープドライブに装填すると、テープドライブ側の操作片がロック解除片２３に接当して、ロック具２０をばね２４の付勢力に抗してロック解除操作する。つまり、ロック具２０はテープカートリッジをテープドライブに装填しない限りロック状態を維持する。
【００２０】
図８および図９に示すごとく、ロック具２０に二又状のロック腕３０と、軸体１４を係合保持するロック片３１とを設け、ロック腕３０およびロック片３１の軸体１４に対する係脱方向を交差する向きに設定した位置保持構造によれば、軸体１４が前後および左右方向へ移動しようとするのをロック腕３０とロック片３１とで規制できるので、待機保持状態における先導ピース１３が外部衝撃を受けてずれ動いたり、ケース外へ飛出すのを確実に防止できる。なお、軸体１４はロック腕３０およびロック片３１に対してその一部を弾性変形させながら係脱する。
【００２１】
図１０に示すように、軸体１４をロック片３１でケース内面側から係合保持するロック具２０においては、テープカートリッジをテープドライブへ装填する際の動作を利用してロック片３１を容易にロック解除操作できるので、ロック片３１による軸体１４の係合力をより大きく設定して、先導ピース１３をより強固に待機保持できる。
【００２２】
図１１および図１２に示すごとく、複数個のロック腕３０で軸体１４を係合捕捉し、ロック腕３０に遊動空所Ｓを設けたロック具２０によれば、先導ピース１３は外部衝撃を受けて遊動空所Ｓの範囲内を動いた後、ロック腕３０に受け止められる。つまり遊動空所Ｓを移動する間に先導ピース１３の衝撃エネルギーが減衰緩和されるので、先導ピース１３がピース受部１９から飛び出てしまうのを阻止できる。なお、軸体１４が遊動空所Ｓ内にある状態においては、テープドライブ側の捕捉体Ｈで掛止腕１５を支障なく掛止連結できる。
【００２３】
図１３に示すごとくロック具２０を弾性変形可能な支軸３３で支持した位置保持構造においては、先導ピース１３に作用する外部衝撃を、支軸３３が弾性変形することによって緩和吸収できるうえ、先導ピース１３を適正な待機位置へ復帰させることができる。従って、落下衝撃等によって先導ピース１３がピース受部１９から飛び出るなどの不具合を解消できる。
【００２４】
待機保持した先導ピース１３の外面をドア５で押え保持するテープカートリッジによれば、ピース受部１９とロック具２０とによる先導ピース１３の位置保持作用をドア５によってさらに増強できるので、先導ピース１３を待機位置にさらに確実に位置保持できる。
【００２５】
【実施例】
（実施例１）
図１ないし図５は、本発明に係る単リール型のテープカートリッジの実施例を示す。図２において、テープカートリッジは、上下ケース１ａ・１ｂを蓋合わせ状に結合して構成した角箱状のケース本体１を有し、その内部に配置した１個のリール２にテープ３が巻き込んである。ケース本体１の前面にはテープ引出口４が開口しており、これを揺動自在に軸支したドア５で開閉できる。ドア５はばねで閉じ勝手に移動付勢されており、閉止位置において図外のロック機構でロック保持される。
【００２６】
ケース本体１の対向する内隅の２個所には、リール２の下フランジに設けたギヤ歯と係合して、不使用時のリール２を遊転不能にロック保持するリールロック６・７が設けてある。ケース背壁の一側には、誤消去防止用の切換ピース８が設けてある。リール２と上ケース１ａとの間には、リール２を下ケース１ｂへ向かって押し下げ付勢するばね９が配置してある。このばね９とリール２とは遊転自在な鋼ボール１０を介して接当している。
【００２７】
リール２に巻き込んだテープ３をテープドライブの捕捉体Ｈで自動的に捕捉連結するために、テープ３の繰り出し端に設けたリーダーテープ１２に先導ピース１３を設ける。図３において先導ピース１３は、リーダーテープ１２に固定されるステンレス製のピン（軸体）１４と、ピン１４の上下両端に設けた一対の掛止腕１５とでコ字枠状に構成する。リーダーテープ１２の連結端は、その幅方向中途部の切欠によって上下に分断されており、この分断部をピン１４に巻き掛け反転した後、反転端をテープ面に接着することによりピン１４と一体化してある。なお、ピン１４はリーダーテープ１２に対して相対回転できる。
【００２８】
掛止腕１５は左右横長のプラスチック成形品からなり、その成形時にピン１４をインサート固定する。上下の掛止腕１５はケース外面側へ向かって突弧状に湾曲形成され、腕の中途部に捕捉体Ｈを掛止連結するための掛止溝１６が上下対向状に、しかも各腕１５の外面側に向かって開口するように形成してある。捕捉体Ｈは、テープドライブ側のリーダーテープの端に掛止ピン１７を固定して形成してあり、図示していないローディングアームで掛止ピン１７を操作して、その上下両端が掛止溝１６に掛止される。
【００２９】
不使用時の先導ピース１３を所定の待機姿勢で保持固定するために、図１に示すようにテープ引出口４に臨んでピース受部１９とロック具２０とを設けている。ピース受部１９はケース本体１の内面上下に凹み形成する。詳しくは、テープ引出口４に臨む上下壁のそれぞれに低いリブを上下対向状に突設し、このリブを掛止腕１５のケース内面側の外郭線に沿って鉤形に湾曲させて、一端がケース内方へ凹むピース受部１９を形成する。リーダーテープ１２と共に先導ピース１３をケース内部へ引き込んだ状態において、先導ピース１３はその掛止腕１５が上下のピース受部１９に密接する状態で受け止められて、適正に位置決め保持される。
【００３０】
テープ弛みが発生した状況下においても、落下衝撃に耐えて上記の位置決め姿勢を保持するために、ロック具２０で先導ピース１３のピン１４をロック保持する。図３においてロック具２０は、ボス２１と、その周面から横向きに突設したロック片２２およびロック解除片２３とを一体に形成したプラスチック成形品からなる。ボス２１を上下ケース１ａ・１ｂで揺動自在に軸支し、さらにボス２１の下端に組み付けたばね２４でロック具２０をロック姿勢に揺動付勢することにより、ロック片２２は常にケース内方へ向かって揺動付勢され、図１に示すようにその先端に設けたフック部２５がピン１４の上下方向中途部に係合する。このとき、ロック片２２はケース外面側からピン１４を係合保持し、ロック解除片２３はケース本体１の前壁に開口した解除ピン挿入口２６と正対している。
【００３１】
以上のように、不使用時の先導ピース１３をピース受部１９とロック具２０とで協同して待機保持すると、先導ピース１３に作用する外部衝撃は、ロック具２０がばね２４に抗して揺動することによって緩和吸収できるので、たとえテープ３がケース内部で弛んでいたとしても、先導ピース１３がピース受部１９からずれ動いたり、飛び出てしまうのを防止できる。また、外部衝撃力の消滅と同時に、ロック具２０は前記ばね２４の付勢力を受けて先導ピース１３をピース受部１９に復帰操作し密接させるので、先導ピース１３を常に適切な待機姿勢に保持できる。
【００３２】
不使用時のドア５は、テープ引出口４を塞いで先導ピース１３の外面を覆っている。そこで、ドア５の内面に、先導ピース１３の外面側の外郭線に合致する押圧部２７（図１参照）を設けて、先導ピース１３のとくに掛止腕１５の先端側がピース受部１９から浮き離れるのを阻止できるようにしている。
【００３３】
テープカートリッジをテープドライブに装填すると、図４および図５に示すようにドア５が開いてテープ引出口４を開放する。同時にリール２の遊転を阻止していた一対のリールロック６・７がロック解除される。ロック具２０はそのロック解除片２３を介して、フック部２５がピン１４から離れる向きにロック解除操作される。リール２は、ケース下面側からケース内へ進入するリール駆動軸と係合する。この状態でテープドライブ側の捕捉具Ｈがテープ引出口４内へ進入し、その掛止ピン１７を上下の掛止腕１５の掛止溝１６に掛止連結して、先導ピース１３を介してテープ３を引き出し、テープドライブ側のリールに巻き込む。テープ３に対するデータの書き込みあるいは読み出しが終了したら、テープ３はリール２に巻き戻され、先端ピース１３はピース受部１９とロック具２０とによって再び待機状態に位置決め保持される。
【００３４】
（実施例２）
図６および図７にロック具２０の別の実施例を示す。そこでは、ボス２１をリールロック６の近傍で軸支し、リールロック５をテープドライブ側のロック解除体Ｐでロック解除操作するとき、ボス２１に突設したロック解除片２３を同時にロック解除操作できるようにした。詳しくは図７に示すように、ロック解除体Ｐの突端でロック解除片２３を突き押し操作し、リールロック６がロック解除し終る直前に、ロック片２２をばね２４の付勢力に抗してケース外面側へ揺動させ、フック部２５をピン１４から分離させるようにした。符号３５はロック片２２のケース内方への揺動限界を規制するピンである。他は先の実施例１と同じであるので、同一部材に同符号を付してその説明を省略する。このことは以下の各実施例においても同じ扱いとする。
【００３５】
（実施例３）
図８および図９はロック具２０によるピン１４の保持形態を変更した実施例を示す。そこでは、ボス２１の上下端に、先端に二又状の抱持片３０ａ・３０ａを有するロック腕３０を設け、これらのロック腕３０でピン１４の上下を係合捕捉できるようにした。さらにボス２１の上下中途部にロック片３１を突設し、その突端に設けたフック部３２でピン１４を係合保持した。この場合のボス２１は回転不能にケース本体１に組み込まれる。ピン１４はロック腕３０の先端の両抱持片３０ａ・３０ａ間に割り込んで両抱持片３０ａ・３０ａを拡開状に弾性変形させながら、ロック腕３０に対して左右方向に係脱し、抱持片３０ａで係合捕捉された状態において前後遊動不能に保持される。また、ロック片３１に対してはその腕部分をケース内方へ撓み変形させながらフック部３２に落ち込み係合して、左右遊動不能に係合保持される。このように、ピン１４をロック腕３０とロック片３１とで前後左右に係合保持すると、外部衝撃による先導ピース１３の動きを、ロック腕３０およびロック片３１が弾性変形することで吸収できるので、先導ピース１３がピース受部１９から離脱し、あるいはずれ動くのを防止できる。ロック片３１によるロック状態の解除は、テープカートリッジのテープドライブへの装填動作を利用して行われ、ロック片３１の腕部をテープドライブ側のロック解除ピンでケース内方へ押圧して、フック部３２をピン１４から分離する。
【００３６】
（実施例４）
実施例３で説明したロック腕３０とロック片３１とは図１０に示すように設けることができる。そこでは、ロック片３１をボス２１の上下に設け、ロック腕３０をロック片３１の間に配置した。この場合のロック片３１は、テープ３の上下幅範囲の外に配置して、テープ３が上下のロック片３１の間を出入りできるようにした。
【００３７】
（実施例５）
図１１および図１２に示すロック具２０は、実施例３と同様に、ボス２１の上下に二又状のロック腕３０を設けてロック具２０とした。実施例３と異なるのは、ロック腕３０の抱持片３０ａの左右長さを大きく設定して、ピン１４の左右移動を許す遊動空所Ｓを抱持片３０ａの内部の左右方向に確保した点にある。この場合のピン１４は、外部衝撃を受けて抱持片３０ａの内部を遊動空所Ｓの範囲内で移動する間に衝撃エネルギーが減衰される。なお、先導ピース１３は遊動空所Ｓの範囲内で、ピース受部１９に対してずれ動くことができるが、こうした場合でも捕捉体Ｈを掛止腕１５に支障なく掛止連結できるようにするために、掛止腕１５に設けられる掛止溝１６の外面側開口の開口幅をピン１４のずれ量より大きく設定している。
【００３８】
（実施例６）
この実施例６におけるロック具２０は、ロック片３１を省略する点以外は実施例３のロック具２０と同様に構成する。そのうえで、図１３に示すようにボス２１に弾性変形可能な支軸３３をインサート固定して、この支軸３３をケース本体１で固定支持した。この場合には、支軸３３を撓み変形させてロック具２０が変位することによって、先導ピース１３に作用する外部衝撃を緩和吸収できる。
【００３９】
上記の実施例以外に、ロック具２０は往復スライドしてピン１４をロック保持し、あるいはロック解除する形態を採ることができる。軸体１４は掛止腕１５と一体に成形したプラスチック軸で形成することができる。先導ピース１３はコ字枠状に形成したが、必要があれば、四角枠状あるいは湾曲板状に形成することができる。ピース受部１９は、先導ピース１３の形状の違いに応じて形成すべきであるので、その凹み形状は実施例で説明した形状には限定しない。
【図面の簡単な説明】
【図１】実施例１の先導ピースの待機保持構造を示す内部平面図である。
【図２】実施例１のテープカートリッジの横断平面図である。
【図３】実施例１のテープ引出口の縦断正面図である。
【図４】実施例１の先導ピースの引き出し状態を示す内部平面図である。
【図５】実施例１のロック具のロック解除状態を示す要部の横断平面図である。
【図６】実施例２に係るロック具を示す内部平面図である。
【図７】実施例２のロック具のロック解除状態を示す内部平面図である。
【図８】実施例３に係るロック具の斜視図である。
【図９】実施例３のテープ引出口の縦断正面図である。
【図１０】実施例４に係るロック具の斜視図である。
【図１１】実施例５に係るロック具の斜視図である。
【図１２】実施例５のロック腕と軸体の関係を示す平面図である。
【図１３】実施例６に係るロック具の斜視図である。
【符号の説明】
１  ケース本体
２  リール
４  テープ引出口
５  ドア
１３  先導ピース
１４  軸体
１５  掛止腕
１６  掛止溝
１９  ピース受部
２０  ロック具
２２  ロック片
２４  ばね
Ｈ  捕捉体
【図１】
0004367737.tif 000002
【図２】
0004367737.tif 000003
【図３】
0004367737.tif 000004
【図４】
0004367737.tif 000005
【図５】
0004367737.tif 000006
【図６】
0004367737.tif 000007
【図７】
0004367737.tif 000008
【図８】
0004367737.tif 000009
【図９】
0004367737.tif 000010
【図１０】
0004367737.tif 000011
【図１１】
0004367737.tif 000012
【図１２】
0004367737.tif 000013
【図１３】
0004367737.tif 000014